(57)【要約】【課題】従来のフィルター装置よりも小さなスペースで同等のフィルタリング機能を発揮することができる電子装置の冷却装置を提供する。【解決手段】電子装置用冷却装置１００は、吸気口１１と、吸気口１１と同一方向に開口し、吸気口と隣接して設けられた排気口１２と、吸気口１１を介して外気を吸気し、吸気した外気を排気口１２を介して排気し、吸気口１１と排気口１２の間に配置された電子装置１４を空冷するファン１５と、駆動ローラー１６と、被動ローラー１７と、駆動ローラー１６と被動ローラー１７とに掛け渡され、吸気口１１及び排気口１２に対向して駆動される防塵フィルター１８と、からなる【選択図】    図１
2006286778.tif 000002
【特許請求の範囲】
【請求項１】
吸気口と、
前記吸気口と同一方向に開口し、前記吸気口と隣接して設けられた排気口と、
前記吸気口を介して外気を吸気し、吸気した外気を前記排気口を介して排気し、前記吸気口と前記排気口の間に配置された電子装置を空冷するファンと、
駆動ローラーと、
被動ローラーと、
前記駆動ローラーと前記被動ローラーとに掛け渡され、前記吸気口及び前記排気口に対向して駆動される防塵フィルターと、
からなる電子装置の冷却装置。
【請求項２】
前記吸気口及び前記排気口が形成された筐体を備えており、前記筐体には、前記ファンの吸気方向と排気方向とを同一方向に設定する仕切り壁が形成されていることを特徴とする請求項１に記載の電子装置の冷却装置。
【請求項３】
前記防塵フィルターに関して前記吸気口及び前記排気口の反対側に配置され、前記吸気口に対向する空間と前記排気口に対向する空間とを物理的に仕切る仕切り板をさらに備えることを特徴とする請求項１または２に記載の電子装置の冷却装置。
【請求項４】
前記仕切り板は前記吸気口及び前記排気口の双方に対して傾斜する傾斜部を備えていることを特徴とする請求項３に記載の電子装置の冷却装置。
【請求項５】
前記仕切り板は前記吸気口及び前記排気口の双方に対して凸となる曲線部を備えていることを特徴とする請求項３に記載の電子装置の冷却装置。
【請求項６】
前記電子装置の周囲の温度を検出する温度センサーを備えており、
前記駆動ローラーは、前記温度センサーが検出する温度がしきい値を超えた場合に、駆動されることを特徴とする請求項１乃至５の何れか一項に記載の電子装置の冷却装置。
【請求項７】
前記電子装置と前記防塵フィルターとの間に配置された圧力センサーを備えており、
前記駆動ローラーの回転数は、前記圧力センサーが検出する圧力に応じて、変更されることを特徴とする請求項１乃至６の何れか一項に記載の電子装置の冷却装置。
【請求項８】
前記ファンの回転数を検出する回転数センサーを備えており、
前記駆動ローラーの回転数は、前記回転数センサーが検出する回転数に応じて、変更されることを特徴とする請求項１乃至７の何れか一項に記載の電子装置の冷却装置。
【発明の詳細な説明】
【技術分野】
【０００１】
本発明は、発熱作用を伴う電子装置の冷却を行なう電子装置用冷却装置に関する。
【背景技術】
【０００２】
多くの電子装置は発熱を伴うものであるため、ファンを回転させ、外気を吸入し、その外気により電子装置を冷却することが一般的に行なわれている。
【０００３】
ファンが外気を吸入する際、外気とともに埃も同時に吸入される。この埃が高集積回路のリードピンに付着すると、短絡の原因になる。このため、埃の吸い込みを防止するため、一般的には、ファンの吸気口には防塵フィルターが設けられている。
【０００４】
防塵フィルターに埃が大量に付着すると、ファンの外気吸気量が減少し、ファンの放熱能力が低下する。このため、防塵フィルターを定期的に清掃する必要があるが、防塵フィルターの定期的な清掃は手間がかかるため、防塵フィルターを自動的に清掃する装置が従来から提案されている。
【０００５】
その一例として、実開平５−８３５５号公報に記載されているフィルター装置を図８に示す。
【０００６】
図８に示すフィルター装置は、凝縮器４と、凝縮器４に隣接して配置されたファン５と、凝縮器４及びファン５を取り囲むように配置されたフィルターユニット１と、から構成されている。
【０００７】
フィルターユニット１は、凝縮器４及びファン５の周囲に配置された複数個のガイドローラー３と、駆動用ローラー２と、ガイドローラー３及び駆動用ローラー２に掛け渡されているフィルター本体１ａと、から構成されている。駆動用ローラー２はベルト７を介してモーター６に接続されている。駆動用ローラー２がモーター６により駆動されることにより、フィルター本体１ａはガイドローラー３及び駆動用ローラー２を介して凝縮器４及びファン５の周囲を矢印Ｃの方向に周回する。
【０００８】
ファン５は矢印Ａの方向から吸気を行い、矢印Ｂの方向に排気を行う。
【０００９】
図８に示すフィルター装置は以下のように作動する。
【００１０】
ファン５が回転すると、ファン５は矢印Ａの方向から吸気を行う。このため、吸気される外気の中に含まれる埃は、ファン５の前方に位置しているフィルター本体１ａに付着する。このため、冷却対象である凝縮器４には埃が含まれない外気が当たり、埃を吸入することなく、凝縮器４は冷却される。
【００１１】
フィルター本体１ａは矢印Ｃの方向に周回しているため、埃が付着したフィルター本体１ａの部分はその後ファン５の背後に到達する。
【００１２】
ファン５は矢印Ｂの方向に排気を行なっているため、フィルター本体１ａに付着した埃はファン５が排気する空気とともに矢印Ｂの方向に放出される。
【００１３】
このようにして埃が放出されたフィルター本体１ａの部分は、その後、ファン５の前方に周回し、ファン５によって吸気される外気に含まれる埃を付着させる。
【００１４】
このように、図８に示すフィルター装置においては、フィルター本体１ａが凝縮器４及びファン５の周囲を周回しているため、ファン５の吸気及び排気によって、埃の付着及び放出を繰り返す。従って、フィルター本体１ａは自動的に清掃が繰り返し行なわれることになり、フィルター本体１ａを定期的に清掃する必要がない。
【特許文献１】実開平５−８３５５号公報（図１）
【発明の開示】
【発明が解決しようとする課題】
【００１５】
しかしながら、図８に示した従来のフィルター装置には、その設置のために大きなスペースを必要とするという問題点があった。
【００１６】
すなわち、図８に示した従来のフィルター装置においては、フィルター本体１ａを凝縮器４及びファン５の周囲に配置する必要があるため、大きなスペースを占有せざるを得なかった。
【００１７】
さらに、フィルター本体１ａとの接触を避けるため、フィルター装置の周囲にもある程度のスペースを確保する必要があるため、フィルター装置のための大きなスペースに加えて、さらに、追加のスペースを確保しなければならなかった。
【００１８】
昨今の電子装置はサイズを小型化することが強く求められており、このように、大きなスペースを必要とするフィルター装置はこのような要求と相反するものであった。
【００１９】
本発明は、このような従来のフィルター装置における問題点に鑑みてなされたものであり、従来のフィルター装置よりも小さなスペースで同等のフィルタリング機能を発揮することができる電子装置の冷却装置を提供することを目的とする。
【課題を解決するための手段】
【００２０】
この目的を達成するため、本発明は、吸気口と、前記吸気口と同一方向に開口し、前記吸気口と隣接して設けられた排気口と、前記吸気口を介して外気を吸気し、吸気した外気を前記排気口を介して排気し、前記吸気口と前記排気口の間に配置された電子装置を空冷するファンと、駆動ローラーと、被動ローラーと、前記駆動ローラーと前記被動ローラーとに掛け渡され、前記吸気口及び前記排気口に対向して駆動される防塵フィルターと、からなる電子装置の冷却装置を提供する。
【００２１】
本発明に係る電子装置の冷却装置によれば、ファンが吸気口を介して外気を吸入する際に、外気に含まれる埃は防塵フィルターに付着する。防塵フィルターに付着した埃は、ファンが排気口を介して排気を行なう際に、外部に放出される。吸気口と排気口とは相互に隣接して配置され、防塵フィルターは吸気口及び排気口と対向して周回する。すなわち、本発明に係る電子装置の冷却装置においては、従来のフィルター装置とは異なり、防塵フィルターを冷却対象である電子装置及びファンの周囲に配置する必要はなく、防塵フィルターを電子装置の一側面に沿って（換言すれば、吸気口及び排気口に沿って）配置すればよいため、従来のフィルター装置と比較して、防塵フィルターの配置のために必要なスペースを大幅に減少させることができる。
【００２２】
例えば、前記吸気口及び前記排気口は一個の筐体に形成することができ、前記筐体には、前記ファンの吸気方向と排気方向とを同一方向に設定する仕切り壁を形成することができる。
【００２３】
ファンの吸気口と排気口はそれぞれ独立に形成することができるが、吸気口と排気口とを筐体に形成することにより、本発明に係る電子装置の冷却装置の構造を簡略化することができる。さらに、吸気口と排気口とを筐体に形成する場合には、その筐体に、ファンの吸気方向と排気方向とを同一方向に設定する仕切り壁を形成することができ、この仕切り壁により、本発明に係る電子装置の冷却装置の構造をさらに簡略化することができる。
【００２４】
本発明に係る電子装置の冷却装置は、前記防塵フィルターに関して前記吸気口及び前記排気口の反対側に配置され、前記吸気口に対向する空間と前記排気口に対向する空間とを物理的に仕切る仕切り板をさらに備えることができる。
【００２５】
このような仕切り板を配置することにより、吸気口と排気口とが完全に分離されるため、ファンによる外気の吸入時に防塵フィルターに埃が付着する効率及びファンの排気時に防塵フィルターから埃が放出される効率をそれぞれ高めることができる。
【００２６】
前記仕切り板は前記吸気口及び前記排気口の双方に対して傾斜する傾斜部を備えていることが好ましい。
【００２７】
仕切り板がこのような傾斜部を備えることにより、外気は円滑に筐体内部に吸入され、さらに、ファンにより排気される空気は円滑に筐体外部に放出される。このため、ファンが外気を吸入する吸入効率及びファンが外気を排気する排気効率を高めることができる。
【００２８】
前記仕切り板は前記吸気口及び前記排気口の双方に対して凸となる曲線部を備えていることが好ましい。
【００２９】
仕切り板がこのような曲線部（例えば、円弧部）を備えることにより、外気は円滑に筐体内部に吸入され、さらに、ファンにより排気される空気は円滑に筐体外部に放出される。このため、ファンが外気を吸入する吸入効率及びファンが外気を排気する排気効率を高めることができる。
【００３０】
本発明に係る電子装置の冷却装置は、前記電子装置の周囲（特に、電子装置の風下側）の温度を検出する温度センサーを備えることができる。この場合、前記駆動ローラーは、前記温度センサーが検出する温度がしきい値を超えた場合に、駆動される。
【００３１】
温度センサーが検出する温度が上昇する場合、防塵フィルターが目詰まりを起こし、空気の流れが悪化し、その結果、温度が上昇したものと考えられる。このため、温度センサーが検出する温度がしきい値を超えた場合に、駆動ローラーの駆動を開始し、ファンの排気による防塵フィルターの清掃を行なうことにより、防塵フィルターの目詰まりを解消することができる。
【００３２】
本発明に係る電子装置の冷却装置は、前記電子装置と前記防塵フィルターとの間に配置された圧力センサーを備えることができる。この場合、前記駆動ローラーの回転数は、前記圧力センサーが検出する圧力に応じて、変更される。
【００３３】
圧力センサーが検出する圧力の低下は、防塵フィルターが目詰まりを起こし、空気が十分に流れなくなっていることを示す。このため、圧力センサーが検出する圧力が低下した場合には、駆動ローラーの回転数を上げ、すなわち、防塵フィルターの周回速度を上げることにより、防塵フィルターの清掃の頻度を上げ、防塵フィルターの目詰まりを解消することができる。
【００３４】
本発明に係る電子装置の冷却装置は、前記ファンの回転数を検出する回転数センサーを備えることができる。この場合、前記駆動ローラーの回転数は、前記回転数センサーが検出する回転数に応じて、変更される。
【００３５】
回転数センサーが検出するファンの回転数の低下は、防塵フィルターが目詰まりを起こし、空気が十分に流れなくなっていることを示す。このため、回転数センサーが検出するファンの回転数が低下した場合には、駆動ローラーの回転数を上げ、すなわち、防塵フィルターの周回速度を上げることにより、防塵フィルターの清掃の頻度を上げ、防塵フィルターの目詰まりを解消することができる。
【発明の効果】
【００３６】
本発明に係る電子装置の冷却装置においては、吸気口と排気口とは相互に隣接して配置され、防塵フィルターは吸気口及び排気口と対向して、すなわち、吸気口及び排気口に沿って、周回する。すなわち、本発明に係る電子装置の冷却装置においては、従来のフィルター装置とは異なり、防塵フィルターを冷却対象である電子装置及びファンの周囲に配置する必要はなく、防塵フィルターを電子装置の一側面にのみ沿って（換言すれば、吸気口及び排気口に沿って）配置すればよいため、従来のフィルター装置と比較して、防塵フィルターの配置のために必要なスペースを大幅に減少させることができる。
【００３７】
さらに、従来のフィルター装置と比較して、防塵フィルターそのものを小型化することが可能であり、防塵フィルターが破損した場合であっても、防塵フィルターの自動清掃の機能を維持しつつ、防塵フィルターを容易に交換することができる。
【発明を実施するための最良の形態】
【００３８】
〔実施例１〕
図１は、本発明の第一の実施例に係る電子装置用冷却装置１００の平面図である。
【００３９】
本実施例に係る電子装置用冷却装置１００は、吸気口１１及び排気口１２が形成された筐体１３と、吸気口１１を介して外気を吸気し、吸気した外気を排気口１２を介して排気し、吸気口１１と排気口１２との間に配置された電子装置１４を空冷するファン１５と、駆動ローラー１６と、被動ローラー１７と、駆動ローラー１６と被動ローラー１７とに掛け渡されて駆動される防塵フィルター１８と、から構成されている。
【００４０】
筐体１３の内部には、吸気口１１と排気口１２との境界に仕切り壁１９が形成されており、この仕切り壁１９により、吸気口１１と排気口１２とが分離されているとともに、吸気口１１と排気口１２とは同一方向に開口し、かつ、吸気口１１と排気口１２とは相互に隣接して開口している。
【００４１】
さらに、筐体１３の内部には、筐体１３の内部における空気を効率的に流すための傾斜壁１９Ａが配置されている。
【００４２】
防塵フィルター１８は、帯状のフィルターの両端を接続してエンドレス形状（リング形状）にしたものであり、図１と直交する方向に所定の長さ（幅）を有している。
【００４３】
駆動ローラー１６は筐体１３の右端の前方に配置され、被動ローラー１７は筐体１３の左端の前方に配置されている。このため、駆動ローラー１６と被動ローラー１７とに掛け渡されて駆動される防塵フィルター１８は、筐体１３の吸気口１１及び排気口１２の前方において、吸気口１１及び排気口１２に対向して配置されている。
【００４４】
駆動ローラー１６はモーター（図示せず）に接続されており、モーターにより駆動されて半時計回りに回転し、防塵フィルター１８を矢印Ｓの方向に周回させる。すなわち、防塵フィルター１８は、吸気口１１及び排気口１２をその全長にわたって覆うように配置されている。このため、ファン１５により吸気口１１を介して吸気される外気及びファン１５により排気口１２を介して排気される空気は全て防塵フィルター１８を通過する。
【００４５】
以上のような構造を有する本実施例に係る電子装置用冷却装置１００は、以下のように、動作する。
【００４６】
駆動ローラー１６はモーター（図示せず）により駆動され、防塵フィルター１８を駆動ローラー１６及び被動ローラー１７の回りに矢印Ｓの方向に周回させる。
【００４７】
ファン１５が回転することにより、筐体１３の外部の空気は、矢印ＩＮに示すように、吸入口１１を介して筐体１３の内部に吸入される。筐体１３の内部に吸入された外気は電子装置１４を空冷した後、ファン１５を経て、矢印Ｒに示すように、仕切り壁１９により画定された排気口１２に向かう。この後、矢印ＯＵＴに示すように、電子装置１４を空冷した外気は排気口１２から排気される。
【００４８】
筐体１３の外部の空気は筐体１３の内部に吸入される際に、防塵フィルター１８を通過する。このため、外気に含まれる埃は防塵フィルター１８の表面に付着する。
【００４９】
防塵フィルター１８は矢印Ｓの方向に周回しているため、防塵フィルター１８の表面の埃が付着した部分は、吸気口１１に対向する位置から、排気口１２に対向する位置へ移動する。排気口１２からは筐体１３の内部から空気が放出されているため、防塵フィルター１８の表面に付着した埃は、放出される空気により、防塵フィルター１８の表面から飛散する。
【００５０】
従って、防塵フィルター１８の表面に付着していた埃は排気口１２を通過する時点において防塵フィルター１８の表面から放出され、埃が付着していた領域が再び吸気口１１に対向する位置に達したときには、埃が付着していない領域が吸気口１１に対向することになる。
【００５１】
このように、本実施例に係る電子装置用冷却装置１００においては、防塵フィルター１８が吸気口１１の前方を通過する際には、その表面に外気に含まれる埃が付着するが、防塵フィルター１８が排気口１２の前方を通過する際には、筐体１３の内部から排気される空気の風圧により、防塵フィルター１８の表面に付着していた埃は飛散する。
【００５２】
本実施例に係る電子装置用冷却装置１００によれば、従来のフィルター装置（図８参照）とは異なり、防塵フィルター１８を冷却対象である電子装置１４及びファン１５の周囲に配置する必要はなく、防塵フィルター１８を吸気口１１及び排気口１２に沿ってのみ配置すればよいため、従来のフィルター装置と比較して、防塵フィルター１８の配置のために必要なスペースを大幅に減少させることができる。
【００５３】
なお、本実施例に係る電子装置用冷却装置１００においては、吸気口１１及び排気口１２は筐体１３の一部として形成したが、吸気口１１及び排気口１２の配置はそれには限定されない。吸気口１１と排気口１２とをそれぞれ独立の開口として形成することも可能である。
【００５４】
さらに、本実施例に係る電子装置用冷却装置１００においては、吸気口１１と排気口１２とを分離するものとして仕切り壁１９を設けたが、仕切り壁１９を設けることは必ずしも必要ではない。例えば、Ｕ字型のパイプを用いて、その両開口端をそれぞれ吸気口１１及び排気口１２とすることも可能である。
【００５５】
〔実施例２〕
図２は、本発明の第二の実施例に係る電子装置用冷却装置１１０の平面図である。
【００５６】
本実施例に係る電子装置用冷却装置１１０において、第一の実施例に係る電子装置用冷却装置１００と同一の構成要素には同一の参照符号を付し、説明を省略する。
【００５７】
本実施例に係る電子装置用冷却装置１１０は、第一の実施例に係る電子装置用冷却装置１００と比較して、仕切り板２０をさらに備えている。
【００５８】
仕切り板２０は、防塵フィルター１８に関して、吸気口１１及び排気口１２の反対側に配置されている。
【００５９】
仕切り板２０は、防塵フィルター１８と平行に延びる第一板２０ａと、第一板２０ａと直交して延びる第二板２０ｂと、から構成されている。
【００６０】
第二板２０ｂは仕切り壁１９とほぼ同一線上に配置されており、吸気口１１に対向する空間と排気口１２に対向する空間とを物理的に仕切っている。
【００６１】
このように、本実施例に係る電子装置用冷却装置１１０においては、吸気口１１と排気口１２とは仕切り板２０により完全に分離されているため、吸気効率と排気効率とを高めることが可能であり、ひいては、ファン１５による外気の吸入時に防塵フィルター１８に埃が付着する効率及びファン１５による空気の排気時に防塵フィルター１８から埃が飛散する効率を第一の実施例よりも高めることができる。
【００６２】
〔実施例３〕
図３は、本発明の第三の実施例に係る電子装置用冷却装置１２０の平面図である。
【００６３】
本実施例に係る電子装置用冷却装置１２０において、第一の実施例に係る電子装置用冷却装置１００と同一の構成要素には同一の参照符号を付し、説明を省略する。
【００６４】
本実施例に係る電子装置用冷却装置１２０は、第二の実施例に係る電子装置用冷却装置１１０と比較して、仕切り板の形状が異なっている。
【００６５】
本実施例における仕切り板２１は、防塵フィルター１８と平行に延びる第一板２１ａと、吸気口１１に対して傾斜する第一傾斜部２１ｂと、排気口１２に対して傾斜する第二傾斜部２１ｃと、から構成されている。
【００６６】
吸気口１１を介して筐体１３の内部に吸入される外気は、吸気口１１に入る前に、第一傾斜部２１ｂにより方向変換するため、確実に吸気口１１に導入される。
【００６７】
同様に、排気口１２を介して筐体１３の外部に放出される空気は、排気口１２を出た後に、第二傾斜部２１ｃにより方向変換するため、確実に大気に放出される。
【００６８】
このように、本実施例に係る電子装置用冷却装置１２０においては、仕切り板２１が第一傾斜部２１ｂと第二傾斜部２１ｃとを備えることにより、外気は円滑に筐体１３の内部に吸入され、さらに、ファン１５により排気される空気は円滑に筐体１３の外部に放出される。このため、ファン１５が外気を吸入する吸入効率及びファン１５が外気を排気する排気効率を第二の実施例よりも高めることができる。
【００６９】
なお、仕切り板２１は必ずしも第一傾斜部２１ｂと第二傾斜部２１ｃの双方を備えている必要はなく、何れか一方のみを備えることも可能である。あるいは、例えば、第一傾斜部２１ｂ及び第二傾斜部２１ｃの何れか一方に代えて、第二の実施例における第二板２０ｂを備えることも可能である。
【００７０】
〔実施例４〕
図４は、本発明の第四の実施例に係る電子装置用冷却装置１３０の平面図である。
【００７１】
本実施例に係る電子装置用冷却装置１３０において、第一の実施例に係る電子装置用冷却装置１００と同一の構成要素には同一の参照符号を付し、説明を省略する。
【００７２】
本実施例に係る電子装置用冷却装置１３０は、第二の実施例に係る電子装置用冷却装置１１０と比較して、仕切り板の形状が異なっている。
【００７３】
本実施例における仕切り板２２は、吸気口１１に対して凸となるような曲率を有している第一曲線部２２ａと、排気口１２に対して凸となるような曲率を有している第二曲線部２２ｂと、から構成されている。
【００７４】
吸気口１１を介して筐体１３の内部に吸入される外気は、吸気口１１に入る前に、第一曲線部２２ａに沿って導入されるため、円滑に方向変換することができ、円滑に吸気口１１に導入される。
【００７５】
同様に、排気口１２を介して筐体１３の外部に放出される空気は、排気口１２を出た後に、第二曲線部２２ｂに沿って排気されるため、円滑に方向変換することができ、円滑に大気に放出される。
【００７６】
このように、本実施例に係る電子装置用冷却装置１３０においては、仕切り板２２が第一曲線部２２ａと第二曲線部２２ｂとを備えることにより、外気は円滑に筐体１３の内部に吸入され、さらに、ファン１５により排気される空気は円滑に筐体１３の外部に放出される。このため、ファン１５が外気を吸入する吸入効率及びファン１５が外気を排気する排気効率を第三の実施例よりも高めることができる。
【００７７】
なお、仕切り板２２は必ずしも第一曲線部２２ａと第二曲線部２２ｂの双方を備えている必要はなく、第一曲線部２２ａ及び第二曲線部２２ｂの何れか一方のみを備えることもできる。あるいは、例えば、第一曲線部２２ａに代えて第三の実施例における第一傾斜部２１ｂを備えてもよく、あるいは、第二曲線部２２ｂに代えて第三の実施例における第二傾斜部２１ｃを備えてもよい。
【００７８】
〔実施例５〕
図５は、本発明の第五の実施例に係る電子装置用冷却装置１４０の平面図である。
【００７９】
本実施例に係る電子装置用冷却装置１４０において、第三の実施例に係る電子装置用冷却装置１２０と同一の構成要素には同一の参照符号を付し、説明を省略する。
【００８０】
本実施例に係る電子装置用冷却装置１４０は、第三の実施例に係る電子装置用冷却装置１２０と比較して、温度センサー２３をさらに備えている。
【００８１】
温度センサー２３は、電子装置１４の風下側、具体的には、電子装置１４とファン１５との間に配置されており、筐体１３の内部の温度を測定する。
【００８２】
さらに、本実施例に係る電子装置用冷却装置１４０においては、駆動ローラー１６を駆動するモーター（図示せず）は、温度センサー２３から出力される駆動信号を受信すると、駆動ローラー１６の駆動を開始し、温度センサー２３から出力される停止信号を受信すると、駆動ローラー１６の駆動を停止するようになっている。すなわち、防塵フィルター１８は、温度センサー２３から駆動信号を受信しない限り、停止している。
【００８３】
仮に、温度センサー２３が検出する温度が上昇する場合、防塵フィルター１８が目詰まりを起こし、空気の流れが悪化し、その結果、温度が上昇したものと考えられる。このため、温度センサー２３が検出する温度が、予め定められたしきい値を超えると、温度センサー２３は駆動信号をモーターに出力する。
【００８４】
温度センサー２３から駆動信号を受信したモーターは駆動ローラー１６の駆動を開始し、これにより、防塵フィルター１８が矢印Ｓの方向に周回を始める。すなわち、防塵フィルター１８の表面に付着した埃が排気口１２から排気される空気の風圧により、防塵フィルター１８の表面から飛散する。これにより、防塵フィルター１８の目詰まりが解消される。
【００８５】
防塵フィルター１８の目詰まりが解消されたことにより、空気の流れが正常化すると、筐体１３の内部の温度が低下する。温度センサー２３が検出する温度が予め定められたしきい値以下になると、温度センサー２３は停止信号をモーターに出力し、温度センサー２３から停止信号を受信したモーターは駆動ローラー１６の駆動を停止する。
【００８６】
以上のように、本実施例に係る電子装置用冷却装置１４０によれば、筐体１３の内部の温度に応じて防塵フィルター１８が周回を開始し、防塵フィルター１８の清掃が自動的に行なわれる。
【００８７】
なお、本実施例においては、温度センサー２３を電子装置１４とファン１５との間に配置したが、温度センサー２３の配置場所はこれには限定されない。筐体１３の内部の任意の位置に配置することが可能である。
【００８８】
さらに、本実施例においては、温度センサー２３が検出する温度がしきい値を超えるか、あるいは、しきい値以下であるかに応じて、駆動ローラー１６の駆動または停止を行なっているが、温度センサー２３が検出する温度に応じて駆動ローラー１６の回転数、すなわち、防塵フィルター１８の周回速度を変更することも可能である。
【００８９】
〔実施例６〕
図６は、本発明の第六の実施例に係る電子装置用冷却装置１５０の平面図である。
【００９０】
本実施例に係る電子装置用冷却装置１５０において、第三の実施例に係る電子装置用冷却装置１２０と同一の構成要素には同一の参照符号を付し、説明を省略する。
【００９１】
本実施例に係る電子装置用冷却装置１５０は、第三の実施例に係る電子装置用冷却装置１２０と比較して、圧力センサー２４をさらに備えている。
【００９２】
圧力センサー２４は、電子装置１４と防塵フィルター１８との間に配置されており、筐体１３の内部の圧力を検出する。
【００９３】
さらに、本実施例に係る電子装置用冷却装置１５０においては、駆動ローラー１６を駆動するモーター（図示せず）は、圧力センサー２４から出力される駆動信号を受信すると、駆動ローラー１６の駆動を開始し、圧力センサー２４から出力される停止信号を受信すると、駆動ローラー１６の駆動を停止するようになっている。すなわち、防塵フィルター１８は、圧力センサー２４から駆動信号を受信しない限り、停止している。
【００９４】
仮に、圧力センサー２４が検出する圧力が上昇すると、防塵フィルター１８が目詰まりを起こし、空気が十分に流れなくなっていると考えられる。このため、圧力センサー２４が検出する圧力が、予め定められたしきい値を超えると、圧力センサー２４は駆動信号をモーターに出力する。
【００９５】
圧力センサー２４から駆動信号を受信したモーターは駆動ローラー１６の駆動を開始し、これにより、防塵フィルター１８が矢印Ｓの方向に周回を始める。すなわち、防塵フィルター１８の表面に付着した埃が排気口１２から排気される空気の風圧により、防塵フィルター１８の表面から飛散する。これにより、防塵フィルター１８の目詰まりが解消される。
【００９６】
防塵フィルター１８の目詰まりが解消されたことにより、空気の流れが正常化すると、筐体１３の内部の圧力が低下する。圧力センサー２４が検出する圧力が予め定められたしきい値以下になると、圧力センサー２４は停止信号をモーターに出力し、圧力センサー２４から停止信号を受信したモーターは駆動ローラー１６の駆動を停止する。
【００９７】
以上のように、本実施例に係る電子装置用冷却装置１５０によれば、筐体１３の内部の圧力に応じて防塵フィルター１８が周回を開始し、防塵フィルター１８の清掃が自動的に行なわれる。
【００９８】
なお、本実施例においては、圧力センサー２４を電子装置１４と防塵フィルター１８との間に配置したが、圧力センサー２４の配置場所はこれには限定されない。筐体１３の内部の任意の位置に配置することが可能である。
【００９９】
さらに、本実施例においては、圧力センサー２４が検出する圧力がしきい値を超えるか、あるいは、しきい値以下であるかに応じて、駆動ローラー１６の駆動または停止を行なっているが、圧力センサー２４が検出する圧力に応じて駆動ローラー１６の回転数、すなわち、防塵フィルター１８の周回速度を変更することも可能である。
【０１００】
なお、圧力センサー２４は、第三の実施例のみならず、第一、第二及び第四の実施例に対しても適用することが可能である。
【０１０１】
〔実施例７〕
図７は、本発明の第七の実施例に係る電子装置用冷却装置１６０の平面図である。
【０１０２】
本実施例に係る電子装置用冷却装置１６０において、第三の実施例に係る電子装置用冷却装置１２０と同一の構成要素には同一の参照符号を付し、説明を省略する。
【０１０３】
本実施例に係る電子装置用冷却装置１６０は、第三の実施例に係る電子装置用冷却装置１２０と比較して、ファン１５の回転数を検出する回転数センサー２５をさらに備えている。
【０１０４】
回転数センサー２５は、ファン１５の回転数を検出する。
【０１０５】
さらに、本実施例に係る電子装置用冷却装置１６０においては、駆動ローラー１６を駆動するモーター（図示せず）は、回転数センサー２５から出力される駆動信号を受信すると、駆動ローラー１６の駆動を開始し、回転数センサー２５から出力される停止信号を受信すると、駆動ローラー１６の駆動を停止するようになっている。すなわち、防塵フィルター１８は、回転数センサー２５から駆動信号を受信しない限り、停止している。
【０１０６】
仮に、回転数センサー２５が検出するファン１５の回転数が低下すると、防塵フィルター１８が目詰まりを起こし、空気が十分に流れなくなっていると考えられる。このため、回転数センサー２５が検出するファン１５の回転数が、予め定められたしきい値を下回ると、回転数センサー２５は駆動信号をモーターに出力する。
【０１０７】
回転数センサー２５から駆動信号を受信したモーターは駆動ローラー１６の駆動を開始し、これにより、防塵フィルター１８が矢印Ｓの方向に周回を始める。すなわち、防塵フィルター１８の表面に付着した埃が排気口１２から排気される空気の風圧により、防塵フィルター１８の表面から飛散する。これにより、防塵フィルター１８の目詰まりが解消される。
【０１０８】
防塵フィルター１８の目詰まりが解消されたことにより、空気の流れが正常化すると、ファン１５の回転数が上昇する。回転数センサー２５が検出するファン１５の回転数が予め定められたしきい値を超えると、回転数センサー２５は停止信号をモーターに出力し、回転数センサー２５から停止信号を受信したモーターは駆動ローラー１６の駆動を停止する。
【０１０９】
以上のように、本実施例に係る電子装置用冷却装置１６０によれば、回転数センサー２５が検出するファン１５の回転数に応じて防塵フィルター１８が周回を開始し、防塵フィルター１８の清掃が自動的に行なわれる。
【０１１０】
さらに、本実施例においては、回転数センサー２５が検出する圧力がしきい値以下であるか、あるいは、しきい値を超えるかに応じて、駆動ローラー１６の駆動または停止を行なっているが、回転数センサー２５が検出するファン１５の回転数に応じて駆動ローラー１６の回転数、すなわち、防塵フィルター１８の周回速度を変更することも可能である。
【０１１１】
なお、回転数センサー２５は、第三の実施例のみならず、第一、第二及び第四の実施例に対しても適用することが可能である。
【産業上の利用可能性】
【０１１２】
本発明に係る冷却装置は電子装置を対象としたものであるが、本発明に係る冷却装置は電子装置のみならず、発熱を伴う全ての機器に対して適用することが可能である。
【図面の簡単な説明】
【０１１３】
【図１】本発明の第一の実施例に係る電子装置用冷却装置の平面図である。
【図２】本発明の第二の実施例に係る電子装置用冷却装置の平面図である。
【図３】本発明の第三の実施例に係る電子装置用冷却装置の平面図である。
【図４】本発明の第四の実施例に係る電子装置用冷却装置の平面図である。
【図５】本発明の第五の実施例に係る電子装置用冷却装置の平面図である。
【図６】本発明の第六の実施例に係る電子装置用冷却装置の平面図である。
【図７】本発明の第七の実施例に係る電子装置用冷却装置の平面図である。
【図８】従来のフィルター装置の平面図である。
【符号の説明】
【０１１４】
１００  第一の実施例に係る電子装置用冷却装置
１１０  第二の実施例に係る電子装置用冷却装置
１２０  第三の実施例に係る電子装置用冷却装置
１３０  第四の実施例に係る電子装置用冷却装置
１４０  第五の実施例に係る電子装置用冷却装置
１５０  第六の実施例に係る電子装置用冷却装置
１６０  第七の実施例に係る電子装置用冷却装置
１１  吸気口
１２  排気口
１３  筐体
１４  電子装置
１５  ファン
１６  駆動ローラー
１７  被動ローラー
１８  防塵フィルター
１９  仕切り壁
２０、２１、２２  仕切り板
２３  温度センサー
２４  圧力センサー
２５  回転数センサー
【図１】
2006286778.tif 000003
【図２】
2006286778.tif 000004
【図３】
2006286778.tif 000005
【図４】
2006286778.tif 000006
【図５】
2006286778.tif 000007
【図６】
2006286778.tif 000008
【図７】
2006286778.tif 000009
【図８】
2006286778.tif 000010